(57)【要約】      （修正有）【課題】手摺の強度を保持する支柱として機能を備えた上で、良好なデザイン性を備え、且つ手摺を構築する作業の効率性を向上した手摺の提供。【解決手段】手摺は、ブラケットと、第１の支柱２ａと第２の支柱２ｂとを備え、ブラケットは、正面側を開放部とするコ字状に形成され、後面側を躯体固定面部とすると共に、左右の一方面側を第１の支柱固定面部とし、且つ他方面側を第２の支柱固定面部とし、ブラケット固着具により躯体に固定され、第１の支柱２ａは、第１の支柱固定面に第１の固着具により固定され、第２の支柱２ｂは、第２の支柱固定面に第２の固着具により固定されている【選択図】図２
2020190129.tif 000002
【特許請求の範囲】
【請求項１】
ブラケットと、第１の支柱と第２の支柱とを備え、
ブラケットは、正面側を開放部とするコ字状に形成され、後面側を躯体固定面部とすると共に、左右の一方面側を第１の支柱固定面部とし、且つ他方面側を第２の支柱固定面部とし、ブラケット固着具により躯体に固定され、
第１の支柱は、第１の支柱固定面部に第１の固着具により固定され、
第２の支柱は、第２の支柱固定面部に第２の固着具により固定されていることを特徴とする手摺。
【発明の詳細な説明】
【技術分野】
【０００１】
本発明は、集合住宅や家屋のベランダやバルコニー等に設置される手摺に関する。
【背景技術】
【０００２】
集合住宅や家屋の建物のベランダやバルコニー、或いは開放廊下等に設置される手摺は、老朽化に伴って新たな手摺への交換を行うことがある。このような手摺として、下記特許文献１に記載されているように、躯体壁面に固定される一対のＬ型枠と、一対のＬ型枠とに挟持される取付体と、取付体に取付けられる手摺ユニットを備えたものが提案されている。
【先行技術文献】
【特許文献】
【０００３】
【特許文献１】特開平１０−３７４２４公報
【発明の概要】
【発明が解決しようとする課題】
【０００４】
特許文献１に記載されている手摺は、取付体が一対のＬ型枠に対して前後方向（躯体に対して接離する方向）に可動にして、取付体の位置を前後調節できるようにした構造であるため、建物によって異なる取付体と躯体との距離に対応することができる。また、取付体は、その左右両側に取付けられる手摺ユニットを支持する支柱としての機能を備える必要があるため、高い強度を発揮できるように、見付幅・見込幅を広くしている。
【０００５】
しかしながら、竪格子の一辺角よりも大きい一辺角を備えたサイズの取付体を用いた手摺は、取付体と竪格子の幅が異なっているため、正面視においてアンバランスであり、デザイン性に劣る印象を与えていた。また、取付体を支持する一対のＬ型枠を夫々躯体に固定しなければならないため、手摺を構築する作業の効率性が劣るという問題があった。すなわち、手摺の強度を保持する支柱として機能を備えた上で、良好なデザイン性を備え、且つ手摺を構築する作業の効率性の高い手摺が求められていた。
【課題を解決するための手段】
【０００６】
前述の課題を解決するために請求項１記載による手摺は、ブラケットと、第１の支柱と第２の支柱とを備え、ブラケットは、正面側を開放部とするコ字状に形成され、後面側を躯体固定面部とすると共に、左右の一方面側を第１の支柱固定面部とし、且つ他方面側を第２の支柱固定面部として、ブラケット固着具により躯体に固定され、第１の支柱は、第１の支柱固定面部に第１の固着具により固定され、第２の支柱は、第２の支柱固定面部に第２の固着具により固定されていることを特徴とする。
【発明の効果】
【０００７】
本発明は、以上の構成により、手摺の強度を保持する支柱として機能を備えた上で、良好なデザイン性を備え、且つ手摺を構築する作業の効率性の高い手摺を提供できる。
【図面の簡単な説明】
【０００８】
【図１】本発明に係る実施形態の手摺の全体図であり、（ａ）は、手摺子タイプの手摺、（ｂ）は、パネルタイプの手摺、（ｃ）は、手摺子・パネル連結タイプの手摺を示す。
【図２】図１（ａ）の（２）-（２）線断面図である。
【図３】図２の（３）-（３）線断面図である。
【図４】図３の（４）-（４）線断面図である。
【図５】図１（ａ）の要部拡大図である。
【図６】躯体のずれに対応する手摺の取付け状態の説明図である。
【図７】ブラケットの傾斜に対応する手摺の取付け状態の説明図である。
【図８】案内長孔の配置構成の変形例を示す断面図である。
【図９】図８の（９）-（９）線断面図である。
【図１０】第１の滑り防止材および第２の滑り防止材の配置構成の変形例を示す断面図である。
【発明を実施するための形態】
【０００９】
以下、図面を参照して本発明に係る実施形態の手摺Ａを説明する。以下の説明で、異なる図における同一符号は同一機能の部位を示しており、各図における重複説明は適宜省略する。また、本明細書において、左右方向とは手摺Ａの見付方向を、前後方向とは手摺Ａの見込方向を、上下方向とは手摺Ａの高さ方向を夫々意味する（図１参照）。
【００１０】
［手摺の構成］
手摺Ａは、主に、集合住宅や家屋等のベランダやバルコニー、更には、開放廊下、屋上等に設置されるものであり、これら高所からの落下防止機能および周囲からの目隠し機能を有するものである。
【００１１】
手摺Ａは、図１（ａ）に示すように、躯体Ｂの前面側（正面側）に左右方向に一定間隔を空けて固定された複数の建築構造体Ａ１と、建築構造体Ａ１を介して支持された手摺ユニットＡ２とから構成されている。手摺ユニットＡ２は、建築構造体Ａ１に固定される笠木Ａ２０と下弦材Ａ２１とにわたり複数の手摺子Ａ２２が左右方向に一定間隔を空けて固定された縦格子のものである（手摺子タイプ）。手摺Ａは、図１（ａ）で示す構成以外にも、図１（ｂ）に示すように、手摺ユニットＡ２が複数のパネルＰを用いてなるもの（パネルタイプ）、或いは図１（ｃ）に示すように、手摺ユニットＡ２が手摺子Ａ２２とパネルＰとを組み合わせてなるもの（手摺子・パネル連結タイプ）が例示できる。
【００１２】
［建築構造体の構成］
建築構造体Ａ１は、図２および図３に示すように、躯体Ｂに固定されたブラケット１と、ブラケット１に固定された第１の支柱２ａおよび第２の支柱２ｂと、ブラケット１と第１の支柱２ａおよび第２の支柱２ｂとの間に介在された第１の滑り防止材３ａおよび第２の滑り防止材３ｂとを備えている。
【００１３】
建築構造体Ａ１は、ブラケット１が前後中心を境に左右対称となるように形成され、更に、各構成部がブラケット１の前後中心を境に左右対称となるように形成されていると共に、配置されている。
【００１４】
［ブラケットの構成］
ブラケット１は、図２および図３に示すように、前面側（正面側）を開放部１０とする平面視コ字状に形成されており、後面側をブラケット固着具６により躯体Ｂに固定される躯体固定面部１１とすると共に、図において左面側を第１の固着具６ａにより第１の支柱２ａが固定される第１の支柱固定面部１ａとし、且つ右面側を第２の固着具６ｂにより第２の支柱２ｂが固定される第２の支柱固定面部１ｂとしている。
【００１５】
ブラケット１の左右の幅は、図１（ａ）に示すように、第１の支柱２ａおよび第２の支柱２ｂを取付けたときに、第１の支柱２ａと第２の支柱２ｂとの間隔が、複数の手摺子Ａ２２同士の間隔に近い間隔、或いは同間隔となる幅に形成されている。そして、後述するように、第１の支柱２ａおよび第２の支柱２ｂの左右の幅を、手摺子Ａ２２の左右の幅に近い幅、或いは同幅にしていることから、手摺Ａを前方から見たときに支柱が目立つことがなく、手摺Ａの左右方向の全域において手摺子Ａ２２を同間隔で配列したようなデザインであるという特有の視覚効果を有する手摺Ａとすることができる。
【００１６】
躯体固定面部１１には、図２および図３に示すように、上下２か所のボルト孔１１０が設けられている。ボルト孔１１０は、長手方向を左右方向とする長孔である。ボルト孔１１０は、ブラケット１を躯体Ｂに固定する際に、躯体Ｂから前方へ突出するように埋め込み固定されたボルト（ブラケット固着具６の一方）６０が貫通するものであり、長手方向の範囲でブラケット１を左右動させることができるようにされている。そして、貫通したボルト６０にナット（ブラケット固着具６の他方）６１をねじ込んで締め付けることによって、ブラケット１を躯体Ｂに固定することができる。貫通したボルト６０は、ブラケット１の内側に突出するため、開放部１０からボルト６０に対するナット６１のねじ込み・締め付け作業を行うことができる。また、ナット６１のねじ込み・締め付け作業が、上下２か所での作業であるので、ブラケット１の取付け作業を迅速に行うことができる。
【００１７】
第１の支柱固定面部１ａには、図２および図３に示すように、上下２か所の案内長孔１０ａが設けられている。案内長孔１０ａは、長手方向を前後方向として形成されており、ボルト孔１１０の位置に対して上下方向でずらした位置に配置されている。
【００１８】
案内長孔１０ａは、図２および図３に示すように、第１の支柱２ａを支持するように貫通するボルト（第１の固着具６ａの一方）６０ａが貫通すると共に、貫通したボルト６０ａを前後方向にスライド案内するものである。そして、図６に示すように、貫通したボルト６０ａを案内長孔１０ａに対してスライドさせることで第１の支柱２ａの位置を前後に変更することができ、貫通したボルト６０ａにナット（第１の固着具６ａの他方）６１ａをねじ込んで締め付けることによって、第１の支柱２ａを第１の支柱固定面部１ａの所定位置に固定することができる。また、躯体Ｂの構造上、前後方向にずれが生じている場合でも、図６に示すように、第１の支柱２ａの位置を前後に調整することによって、左右方向に平行な状態で手摺ユニットＡ２を取付けることができる。
【００１９】
貫通したボルト６０ａは、図２および図３に示すように、ブラケット１の内側に突出するため、開放部１０からボルト６０ａに対するナット６１ａのねじ込み・締め付け作業を行うことができる。さらに、案内長孔１０ａの位置を、ボルト孔１１０の位置に対して上下方向でずらしているので、ブラケット固着具６のボルト６０・ナット６１に干渉することなく、第１の固着具６ａのナット６１ａのねじ込み・締め付け作業を行うことができる。
【００２０】
第１の支柱固定面部１ａの外側面には、図２に示すように、滑り防止部１２ａが設けられており、滑り防止部１２ａの頂点部分が第１の支柱固定面部１ａと同面にされている。滑り防止部１２ａは、前後方向に並列するように形成された凹凸条溝であり、第１の支柱固定面部１ａに対する第１の支柱２ａの取付け時において、滑り防止部１２ａの凹凸条溝に後述する第１の滑り防止材３ａの凹凸条溝３０ａが噛み合うように係合することで第１の支柱２ａの前後方向の移動を阻止するようにされている。
【００２１】
第２の支柱固定面部１ｂは、第１の支柱固定面部１ａと左右対称の構成および同じ機能を有しているため、同一の部位については、異なる符号を付すことによって、具体的な説明は省略する。すなわち、案内長孔１０ａおよび滑り防止部１２ａと同じ構成および機能を有する案内長孔１０ｂおよび滑り防止部１２ｂを備え、第１の固着具６ａのボルト６０ａ・ナット６１ａと同じ構成および機能を有する第２の固着具６ｂのボルト６０ｂ・ナット６１ｂにより、第２の支柱２ｂを第２の支柱固定面部１ｂに対して前後動自在、且つ固定することができる。更に、第２の支柱固定面部１ｂに対する第２の支柱２ｂの取付け時において、滑り防止部１２ｂの凹凸条溝に後述する第２の滑り防止材３ｂの凹凸条溝３０ｂが係合することで第２の支柱２ｂの前後方向の移動を阻止することができる。
【００２２】
開放部１０は、図２〜図５に示すように、ブラケット１を躯体Ｂに固定する作業および第１の支柱２ａと第２の支柱２ｂとをブラケット１に固定する作業後に、カバー１００によって塞がれる。カバー１００は、第１の支柱固定面部１ａおよび第２の支柱固定面部１ｂの裏面に設けられた支持溝１２０にスライド挿入され、ブラケット１の上部開放部１３と下部開放部１４を塞ぐようにねじ止めされた蓋部１５の間に位置すると共に、蓋部１５に対してねじ止めされている。このカバー１００および蓋部１５によって、ブラケット１の内側を隠すことができるので、前方から視覚される手摺Ａのデザイン性を良好なものとすることができる。
【００２３】
［第１の支柱および第２の支柱の構成］
第１の支柱２ａおよび第２の支柱２ｂは、左右対称で同じ構成および同じ機能を有するものであり、図１〜図４に示すように、双方とも、左右の幅を手摺子Ａ２２の左右の幅に近い幅、或いは同じ幅とすることで、前述したような特有の視覚効果を有する手摺Ａを構成している。さらに、第１の支柱２ａおよび第２の支柱２ｂを一対として一つの支柱とすることで手摺Ａを支持する支柱として必要な強度を確保している。したがって、第１の支柱２ａおよび第２の支柱２ｂの構成によって、前述したような特有の視覚効果を有すると共に、必要な強度を備えた手摺Ａにすることができる。
【００２４】
また、第１の支柱２ａおよび第２の支柱２ｂは、図２および図４に示すように、双方とも、前後の幅が、前後方向の夫々のスライド限界位置にわたる範囲において、滑り防止部１２ａ、１２ｂを露出させないようにできる幅にされており、第１の支柱２ａおよび第２の支柱２ｂが前後の範囲においてどの位置にあっても、滑り防止部１２ａ、１２ｂを隠すことができるので、手摺Ａのデザイン性を損ねないようにするという点で効果的である。
【００２５】
第１の支柱２ａは、図２〜図４に示すように、第１の支柱固定面部１ａと向かい合う面に、第１の滑り防止材３ａを収める凹部２０ａが形成されている。凹部２０ａは、第１の支柱２ａの長手方向（上下方向）と平行として第１の支柱２ａの全長にわたるように形成されている。
【００２６】
第１の支柱２ａには、図２および図３に示すように、凹部２０ａからボルト６０ａが貫通する上下２か所のボルト貫通孔２００ａが設けられており、ボルト貫通孔２００ａを案内長孔１０ａに対面させた状態で、ボルト貫通孔２００ａおよび案内長孔１０ａへのボルト６０ａの貫通ができるようにされている。ボルト貫通孔２００ａの径は、ボルト６０ａの径よりも大きくされており、後述する第１の支柱２ａの傾き修正時における第１の支柱２ａの回動ができるようにしている。
【００２７】
第２の支柱２ｂは、第１の支柱２ａと左右対称の構成および同じ機能を有しているため、同一の部位については、異なる符号を付すことによって、具体的な説明は省略する。すなわち、第２の支柱２ｂには、第１の滑り防止材３ａを収める凹部２０ａと同じ構成および機能を有する凹部２０ｂが備えられており、この凹部２０ｂに第２の滑り防止材３ｂを収めることができる。また、第２の支柱２ｂには、第１の支柱２ａのボルト貫通孔２００ａと同じ構成および機能を有するボルト貫通孔２００ｂが備えられており、このボルト貫通孔２００ｂおよび案内長孔１０ｂにボルト６０ｂを貫通させることができると共に、後述する第２の支柱２ｂの傾き修正時における第２の支柱２ｂの回動ができる。
【００２８】
［第１の滑り防止材および第２の滑り防止材の構成］
第１の滑り防止材３ａおよび第２の滑り防止材３ｂは、図２〜図４に示すように、双方とも、左右対称で同じ構成および同じ機能を有しており、第１の支柱固定面部１ａおよび第２の支柱固定面部１ｂの上下長さよりも短い長さとする長方形の板状に形成されている。また、第１の滑り防止材３ａおよび第２の滑り防止材３ｂは、第１の支柱固定面部１ａおよび第２の支柱固定面部１ｂの上下端から突出しないように、それぞれ凹部２０ａ、２０ｂに収められていると共に、第１の滑り防止材３ａおよび第２の滑り防止材３ｂの中央部が凹部２０ａ、２０ｂに対してそれぞれビス４０、５０を介して軸支されている。
【００２９】
第１の滑り防止材３ａは、図２〜図４に示すように、ブラケット１の第１の支柱固定面部１ａとの対向面に設けられた滑り防止部１２ａに対向して係合するように、前後方向に並列するように形成された凹凸条溝３０ａが形成されている。凹凸条溝３０ａは、滑り防止部１２ａ方向に突出しており、その突出量は、凹凸条溝３０ａが滑り防止部１２ａに係合したときに、第１の支柱固定面部１ａと第１の支柱２ａとの対向面に隙間が生じないようにすることができる突出量である。
【００３０】
第１の滑り防止材３ａには、図２および図３に示すように、ボルト６０ａが貫通する上下２か所のボルト孔３１ａが設けられている。ボルト孔３１ａは、第１の滑り防止材３ａが凹部２０ａに対して軸支された状態で、第１の支柱２ａのボルト貫通孔２００ａと同軸となる位置に配されており、このボルト貫通孔２００ａからボルト孔３１ａを経て案内長孔１０ａへのボルト６０ａの貫通ができるようにされている。
【００３１】
第１の滑り防止材３ａの見込寸法は、図７に示すように、凹部２０ａの見込寸法よりわずかに狭くされており、第１の滑り防止材３ａの両縁と、凹部２０ａの両縁との間にクリアランスＣを確保している。このクリアランスＣは、躯体Ｂにブラケット１を固定したとき、躯体Ｂの形状のため第１の支柱固定面部１ａが傾いたとき、この傾きに伴う第１の支柱２ａの傾きを修正するためのものである。
【００３２】
具体的には、図７（ａ）に示すように、１点鎖線で示す鉛直線に対してブラケット１が傾いて取付けられているときに、第１の滑り防止材３ａの凹凸条溝３０ａが第１の支柱固定面部１ａの滑り防止部１２ａに係合したときには、第１の滑り防止材３ａが傾いていると共に、この第１の滑り防止材３ａに伴って第１の支柱２ａも傾くことになる（２点鎖線で示す）。このとき、第１の支柱固定面部１ａの滑り防止部１２ａに対する凹凸条溝３０ａの係合により、第１の滑り防止材３ａが不動状態にされているため、第１の支柱２ａがビス４０の軸を中心として回動可能な状態となっている。そして、図７（ｂ）に示すように、傾いた状態の第１の支柱２ａをビス４０の軸を中心として回動させて鉛直線と平行にすることによって、第１の支柱２ａの傾きを修正することができる。
【００３３】
第２の滑り防止材３ｂは、第１の滑り防止材３ａと左右対称の同じ構成および同じ機能を有しているため、同一の部位については、異なる符号を付すことによって、具体的な説明は省略する。すなわち、第２の滑り防止材３ｂには、第１の滑り防止材３ａの凹凸条溝３０ａと同じ構成および同じ機能を有する凹凸条溝３０ｂを備え、この凹凸条溝３０ｂを第２の支柱固定面部１ｂの滑り防止部１２ｂに係合させることができる。また、第２の滑り防止材３ｂには、第１の滑り防止材３ａのボルト孔３１ａと同じ構成および同じ機能を有する上下２か所のボルト孔３１ｂが備えられ、第１の支柱２ｂのボルト貫通孔２００ｂからボルト孔３１ｂを経て案内長孔１０ｂへのボルト６０ｂの貫通ができるようにされている。そして、第１の支柱２ｂをビス５０の軸を中心として回動させることによって、第１の支柱２ｂの傾きを修正することができる。
【００３４】
［案内長孔の配置構成の変形例］
案内長孔１０ａおよび案内長孔１０ｂは、図８および図９に示すように、それぞれ第１の支柱２ａおよび第２の支柱２ｂに配置してもよい。この場合、ブラケット１の第１の支柱固定面部１ａおよび第２の支柱固定面部１ｂにボルト貫通孔２００ａ、２００ｂを設け、案内長孔１０ａおよび案内長孔１０ｂからボルト貫通孔２００ａ、２００ｂへボルト６０ａを貫通する。ボルト６０ａは第１の支柱固定面部１ａおよび第２の支柱固定面部１ｂに対して不動であり、第１の支柱２ａおよび第２の支柱２ｂの前後動時に、案内長孔１０ａおよび案内長孔１０ｂがボルト６０ａに案内される。これによって、図６に示す構成と同様に、躯体Ｂの構造上、前後方向にずれが生じている場合でも、第１の支柱２ａおよび第２の支柱２ｂの位置を前後に調整することによって、左右方向に平行な状態で手摺ユニットＡ２を取付けることができる。
【００３５】
［第１の滑り防止材および第２の滑り防止材の配置構成の変形例］
第１の滑り防止材３ａおよび第２の滑り防止材３ｂは、図１０に示すように、ブラケット１の第１の支柱固定面部１ａおよび第２の支柱固定面部１ｂに配置してもよい。尚、図１０では、中心線を境として、左半部がビス４０、５０の軸の位置で切断した断面を示し、右半部が第１、第２の固着具６ａ、６ｂの軸の位置で切断した断面を示している。
【００３６】
この変形例の場合、ブラケット１の第１の支柱固定面部１ａおよび第２の支柱固定面部１ｂに凹部２０ａ、２０ｂを形成して、この凹部２０ａ、２０ｂに第１の滑り防止材３ａおよび第２の滑り防止材３ｂを収め、第１の支柱２ａおよび第２の支柱２ｂに滑り防止部１２ａ、１２ｂを形成する。また、第１の滑り防止材３ａおよび第２の滑り防止材３ｂの中央部をビス４０、５０で凹部２０ａ、２０ｂに対して軸支する。すなわち、第１の支柱２ａおよび第２の支柱２ｂの滑り防止部１２ａ、１２ｂが、第１の滑り防止材３ａおよび第２の滑り防止材３ｂの凹凸条溝３０ａ、３０ｂに係合しているため、第１の支柱２ａおよび第２の支柱２ｂを回動させることで、第１の滑り防止材３ａおよび第２の滑り防止材３ｂが回動することになり、これによって、第１の支柱２ａおよび第２の支柱２ｂの傾きを修正することができる。
【００３７】
以上、本発明に係る実施形態の手摺について図面を参照して詳述してきたが、具体的な構成は、これらの実施の形態に限られるものではなく、本発明の要旨を逸脱しない範囲の設計の変更等があっても本発明に含まれる。
【００３８】
また、前述の各実施形態は、その目的および構成等に特に矛盾や問題がない限り、互いの技術を流用して組み合わせることが可能である。
【符号の説明】
【００３９】
Ａ：手摺
Ａ１：建築構造体
Ａ２：手摺ユニット
Ａ２０：笠木
Ａ２１：下弦材
Ａ２２：手摺子
１：ブラケット
１０：開放部
１１：躯体固定面部
１００：カバー
１１０：ボルト孔
１２０：支持溝
１ａ：第１の支柱固定面部
１ｂ：第２の支柱固定面部
１０ａ：案内長孔
１０ｂ：案内長孔
１２ａ：滑り防止部
１２ｂ：滑り防止部
１３：上部開放部
１４：下部開放部
１５：蓋部
２ａ：第１の支柱
２ｂ：第２の支柱
２０ａ：凹部
２０ｂ：凹部
２００ａ：ボルト貫通孔
２００ｂ：ボルト貫通孔
３ａ：第１の滑り防止材
３ｂ：第２の滑り防止材
３０ａ：凹凸条溝
３０ｂ：凹凸条溝
３１ａ：ボルト孔
３１ｂ：ボルト孔
４０：ビス
５０：ビス
６：ブラケット固着具
６ａ：第１の固着具
６ｂ：第２の固着具
６０：ボルト
６１：ナット
６０ａ：ボルト
６１ａ：ナット
６０ｂ：ボルト
６１ｂ：ナット
Ｂ：躯体
Ｃ：クリアランス
Ｐ：パネル
【図１】
2020190129.tif 000003
【図２】
2020190129.tif 000004
【図３】
2020190129.tif 000005
【図４】
2020190129.tif 000006
【図５】
2020190129.tif 000007
【図６】
2020190129.tif 000008
【図７】
2020190129.tif 000009
【図８】
2020190129.tif 000010
【図９】
2020190129.tif 000011
【図１０】
2020190129.tif 000012